(57)【要約】【課題】建屋に形成された取付口に屋内側から挿入して設置するタイプのウェザーカバーを改善してそのウェザーカバーから屋外に排出する気体の流れを安定させ、さらに、吸気口を覆う用途での雨天時の雨水吸い込みの懸念も無くすことを課題としている。【解決手段】ウェザーカバーの本体部２に、その本体部の底壁７の先端近くの内面に回動可能に取り付けられて回動により本体部２に設けた口穴８から出没する可動フード３を設け、その可動フード３が屋外に出た位置で底壁先端側の口穴８から下向きに外部に突出し、突出終点で口穴８の周囲のフード支持面８ａに支持されて前下がりの方向に傾いた開口１３を取付口Ｍｐよりも下側に作り出すように構成した。【選択図】図１
2019002622.tif 000002
【特許請求の範囲】
【請求項１】
建屋の壁（Ｗ）に設けられた取付口（Ｍｐ）に屋内側から挿入して設置するウェザーカバーであって、本体部（２）と、可動フード（３）とを具備し、
前記本体部（２）は、長方形板材の先端側の上部コーナを略１／４円をなすように切り欠いた側面視形状を有する対向２側壁（５，５）と、その対向２側壁（５，５）間の空間の上部と前部を塞ぐ、基端側（６ａ）がストレートで先端側（６ｂ）はほぼ９０°下向きに屈曲している湾曲壁（６）と、前記湾曲壁（６）の基端側（６ａ）と対面する底壁（７）、前記底壁（７）の先端側に設置される周囲がフード支持面（８ａ）に囲われた口穴（８）と、後端外周に締結用のフランジ（９）を有し、
前記可動フード（３）は、底壁（７）の先端近くの内面に後部が回動可能に取り付けられ、その可動フード（３）は、先端が前記湾曲壁の下端よりも後方に位置して連結部を支点にした回動により前記口穴（８）から出没自在であり、突出終点で前記フード支持面（８ａ）に支持されるように構成され、前記口穴（８）が前記取付口（Ｍｐ）から屋外に出た位置で前記可動フード（３）が前記口穴（８）から下向きに外部に突出し、突出終点で前記フード支持面（８ａ）に支持されて前下がりの方向に傾いた開口（１３）を前記取付口（Ｍｐ）よりも下側に作り出すように構成されたウェザーカバー。
【請求項２】
前記可動フード（３）が、先端側の高さが後端側の高さよりも高い対向２側壁（３ａ、３ａ）と、その２側壁（３ａ、３ａ）の先端間及び後端間に設ける前壁（３ｂ）及び後壁（３ｃ）と、前記フード支持面（８ａ）上に載置される外フランジ（３ｄ）とで構成された請求項１に記載のウェザーカバー。
【請求項３】
前記可動フード（３）に、前記開口（１３）からの虫の侵入を阻止する防虫網（４）が設けられた請求項１又は２に記載のウェザーカバー。
【請求項４】
前記可動フード（３）が、屋内側からの操作が可能な取付具を介して前記底壁（７）の内面に着脱可能に取り付けられた請求項１〜３のいずれかに記載のウェザーカバー。
【請求項５】
前記可動フード（３）を前記建屋の壁（Ｗ）の外面から所定量離反させる位置に、前記口穴（８）が設けられた請求項１〜４のいずれかに記載のウェザーカバー。
【発明の詳細な説明】
【技術分野】
【０００１】
この発明は、工場やビルなどの建屋に形成された取付口に屋内側から挿入して設置するタイプのウェザーカバー、詳しくは、屋外に排出する気体の流れを安定させ、さらに、そのウェザーカバーを通して外気を屋内に取り込む用途（吸気口を覆う用途）での雨天時の雨水吸い込みの懸念を無くしたウェザーカバーに関する。
【背景技術】
【０００２】
従来知られたウェザーカバーの中に、下記特許文献１，２などに記載されたものがある。
【０００３】
これ等の公報に記載されたウェザーカバーは、建屋に形成された取付口に対して屋内側から挿入して設置することができる。
【０００４】
屋外側から建屋に取り付ける一般的なウェザーカバーは、取付口が建屋の壁の高い位置にあると設置作業が高所作業になる。
【０００５】
小型のウェザーカバーなら、高所作業でもさほど困難を要せずに取り付けることができるが、大型のウェザーカバーは、しっかりした足場があっても屋外側からの取り付けは難しく、作業の危険性も増す。
【０００６】
これに対し、屋内側から取付口に挿入して設置するタイプのウェザーカバーは、その不具合が解消され、大型のカバーであっても安全な取付けができる利点がある。
【先行技術文献】
【特許文献】
【０００７】
【特許文献１】特開平８−４２８８０号公報
【特許文献２】実開昭６２−２０４２２６号公報
【発明の概要】
【発明が解決しようとする課題】
【０００８】
特許文献１に記載されたウェザーカバーは、対向２側壁、その２側壁間の空間の上部と前部を塞ぐ湾曲壁、及び室内に置かれる側の端部（以下ではこれを後端と考える）に設けられる締結用のフランジとから成る側面視形状が略扇形のフード状のカバーであって、底壁は無く、屋外に突出させる部分の下面は取付口の下面とほぼ同一面内にあって排気や吸気を出入りさせる吸排気口となっている。
【０００９】
かかる特許文献１のウェザーカバーは、排気口を覆う用途では、排気が湾曲壁に沿って流れて開口から下向きに噴出される。このときの排気は、湾曲壁に沿って下向きに方向転換する成分と水平向きに直進しようとする成分が入り混じっていることから、開口から出た直後に一部が湾曲壁の外面に沿うように巻き上がることから流れが乱れやすい。
【００１０】
ウェザーカバーは、雨水の侵入防止や外部の風圧を和らげる目的で設けられるものであるので、排気の流れが乱れると風圧を和らげる効果などが薄れて好ましくない。
【００１１】
また、そのウェザーカバーを通して雨天時に外気を建屋内に取り込むときには、カバーの上に降り注いだ雨水が湾曲壁上を滑落して湾曲壁の下縁に至り、そこから下方に滴り落ちる。
【００１２】
この状況では、換気扇によって吸い込まれる外気の流れに水滴が乗り移って屋内に入り込むため、これも好ましくない。
【００１３】
なお、上記特許文献２に記載されたウェザーカバーは、屋外に配置される部分が下向きに屈曲しているため、排気の乱れや吸気口を覆う用途での雨天時の雨水吸い込みの懸念がない。
【００１４】
しかしながら、このウェザーカバーは、同文献がウェザーカバー枠と称している取付枠を予め建物の外部から外壁に取り付けておく必要があり、外壁施工後にその外壁に取付枠を取り付ける建屋に設置する場合には、取付枠設置のための危険な作業をなくすことができない。
【００１５】
この発明は、上記の現状技術に鑑みてなされたものであって、外部から取り付ける取付枠を用いずに建屋に形成された取付口に屋内側から挿入して設置するタイプのウェザーカバーを改善してそのウェザーカバーから屋外に排出する気体の流れを安定させ、さらに、吸気口を覆う用途での雨天時の雨水吸い込みの懸念も無くすことを課題としている。
【課題を解決するための手段】
【００１６】
上記の課題を解決するため、この発明においては、建屋の壁に設けられた取付口に屋内側から挿入して設置するウェザーカバーであって、
長方形板材の先端側の上部コーナを略１／４円をなすように切り欠いた側面視形状を有する対向２側壁、その対向２側壁間の空間の上部と前部を塞ぐ、基端側がストレートで先端側はほぼ９０°下向きに屈曲している湾曲壁、前記湾曲壁のストレートな基端側と対面する底壁、前記底壁の先端側に設置される周囲がフード支持面に囲われた口穴、及び、後端外周に締結用のフランジを有する本体部と、前記底壁の先端近くの内面に後部が回動可能に取り付けられた可動フードとを具備し、
前記可動フードは、先端が前記湾曲壁の下端よりも後方に位置して連結部を支点にした回動により前記口穴から出没自在であり、その可動フードが屋外に出た位置で前記口穴から下向きに外部に突出し、突出終点で前記フード支持面に支持されて前下がりの方向に傾いた開口を前記取付口よりも下側に作り出すように構成されたウェザーカバーを提供する。
【００１７】
このウェザーカバーは、前記可動フードに、必要に応じて、前記開口からの虫の侵入を阻止する防虫網を設けることができる。
【００１８】
その防虫網を備える可動フードは、屋内側からの操作が可能な取付具を用いて本体部の底壁の内面に着脱可能に取り付けておくと好ましい。
【００１９】
前記口穴を、前記可動フードが建屋の壁の外面から所定量離反する位置に設けるのも好ましい。
【００２０】
なお、前記可動フードは、先端側の高さが後端側の高さよりも高い対向２側壁と、その２側壁間の先端と後端に設ける前壁及び後壁と、前記フード支持面上に載置される外フランジとで構成することで、可動フードの突出終点、即ち、前記外フランジが前記フード支持面上に載置された位置で前記前下がりの開口を作り出すことができる。
【発明の効果】
【００２１】
この発明のウェザーカバーは、本体部の前側に可動フードを備えており、その可動フードが底壁の先端部と前記湾曲壁の下端部との間に固定された縁枠の口穴から下向きに突出して前下がりの方向に傾いた開口を作り出すので、排気口を覆う用途では、開口から噴き出される排気が建屋の外壁に沿って流下し、湾曲壁の外面に沿うように巻き上がる現象が起こり難くなって流れが安定する。
【００２２】
これにより、風圧を和らげる効果などが安定し、換気扇などに無用の負荷が加わることが少なくなる。
【００２３】
また、吸気口を覆う用途では、可動フードの先端が前記湾曲壁の下端よりも後方にあるため、雨天時に本体部の湾曲壁の外面を伝って流れ下った雨水は湾曲壁の下端縁から滴下して可動フードに乗り移らない。そのため、湾曲壁の外面を流れ下った雨水が吸気に乗って屋内に入り込む事態が確実に防止される。
【００２４】
なお、前記前下がりの開口を作り出すフードが本体部に固定されているウェザーカバーは建屋の取付口に挿入することができず、屋内からの設置ができない。この発明のウェザーカバーは、その問題をフードを可動となすことによって解決した。
【００２５】
即ち、可動フードを前記口穴から出没自在となしたことにより、その可動フードを本体部に没入させた状態でウェザーカバーを屋内側から取付穴に挿入することができ、設置規制が解かれている。
【００２６】
また、取付穴を通り抜けた後に可動フードを本体部から外部に突出させることで、前下がりの、しかも湾曲壁の下端よりも後退した位置にある開口を前記取付口よりも下側に作り出して排気の流れの安定化と、吸気時の雨水侵入の防止を図ることができる。
【００２７】
可動フードに防虫網を備えさせたウェザーカバーは、屋外から屋内への虫の侵入を防止でき、食品工場などで使用するのに適したものになる。
【００２８】
その防虫網を備えるウェザーカバーは、本体部に対して屋内側から着脱できるように取り付けておくことで、防虫網の定期的な洗浄や交換を行なうことができる。
【００２９】
このほか、前記口穴を、前記可動フードが建屋の壁の外面から所定量離反する位置に設けたものは、排気に含まれる油分や水分が本体部の内面に付着堆積しても、その付着堆積
物が建屋の壁の外面に沿って流れることがなく、壁面を汚す心配がない。
【図面の簡単な説明】
【００３０】
【図１】この発明のウェザーカバーの一例を示す断面図である。
【図２】図１のウェザーカバーを屋内側から取付口に挿入するときの様子を示す部分破断側面図である。
【図３】図１のウェザーカバーの斜視図である。
【図４】図１のウェザーカバーの本体部を水平な面に沿って切断して上から見た断面図である。
【図５】図１のウェザーカバーの内部に設けた可動フードの本体部の底壁に対する取り付け状態を示す斜視図である。
【図６】前記可動フードを本体部の底壁から取り外した状態を示す斜視図である。
【図７】この発明のウェザーカバーの本体部の後部外周に設けたフランジを換気扇取り付け用として利用する例を示す断面図である。
【発明を実施するための形態】
【００３１】
以下、添付図面の図１〜図７に基づいて、この発明のウェザーカバーの実施の形態を説明する。
【００３２】
図１〜図４に示すように、例示のウェザーカバー１は、建屋の壁Ｗに設けられた取付口Ｍｐに屋内側から挿入して設置するタイプのカバーであって、本体部２、可動フード３、及び防虫網４を組み合わせて構成されている。
【００３３】
取付口Ｍｐは、壁Ｗに直接あけた穴、図示しない取付枠によって補強された穴のどちらであってもよい。
【００３４】
本体部２は、対向配置された２枚の側壁５、５と、その側壁５，５間の空間の上部と前部を塞ぐ湾曲壁６と、底壁７と、その底壁７の先端側に設けた口穴８と、締結用のフランジ９を組み合わせて構成されている。
【００３５】
側壁５は、長方形板材の先端側の上部コーナを略１／４円をなすように切り欠いた側面視形状を有する。
【００３６】
湾曲壁６は、基端側（屋内側）６ａがストレートで、先端側（屋外に出す側）６ｂはほぼ９０°下向きに屈曲している。
【００３７】
底壁７は、湾曲壁６の基端側６ａと対面する壁である。この底壁７と側壁５の基端側と湾曲壁６の基端側６ａとは、内部が気体通路となる角筒部を構成している。
【００３８】
口穴８は、底壁７の湾曲壁６と連なる先端部に設けられている。この口穴８は、周囲が内フランジ状のフード支持面８ａに囲われた穴であって、この口穴８から可動フード３の下端側を本体部２から外部に出没させる。
【００３９】
締結用のフランジ９は、本体部２の後部、即ち、底壁７と側壁５の基端側と湾曲壁６の基端側６ａとで構成された角筒部の後部外周に設けられている。
【００４０】
このフランジ９は、図１に示すように、ウェザーカバー１を壁Ｗに固定するための取り付け具として利用することができる。例示のフランジ９は、補強プレート９ａを含ませているが、本体部と別加工して本体部に一体化させる十分に厚みのあるフランジなら補強プレートは不要である。
【００４１】
このフランジ９は、図７に示すように、ウェザーカバー１に換気扇Ｖを取り付けるための取り付け具としての利用や、屋内に設置されたダクト（図示せず）をウェザーカバー１に接続するための継手としての利用も可能である。
【００４２】
フランジ９を換気扇用の取り付け具やダクト接続用の継手として使用する場合には、図
７に示すように、壁Ｗにあけられた取付口Ｍｐの入口にアングル鋼などで形成された取付枠１０を設置し、その取付枠１０に本体部２を挿入し、本体部２の基端側（角筒部）を取付枠１０にねじ１１で固定するとよい。
【００４３】
可動フード３は、図示のウェザーカバー１に対しては、図１及び図５に示すように、先端側の高さｈ１が後端側の高さｈ２よりも高い対向配置の２側壁３ａ、３ａと、その２側壁３ａ、３ａ間の先端と後端に設ける前壁３ｂ及び後壁３ｃと、底壁７の口穴８の周囲のフード支持面８ａ上に載置される外フランジ３ｄとで構成されたものが採用されている。
【００４４】
この可動フード３は、先端（図４における右端）が、湾曲壁６の下端（図１のＢｅ）よりも後方に位置しており、後部が底壁７の先端近くの内面に取付具（図のそれは蝶番１２）を用いて取り付けられている。蝶番１２は、ねじ１４ａとナット１４ｂを組み合わせた締結具１４を用いて本体部２に固定されている。その蝶番１２を支点にして可動フード３は回動可能である。
【００４５】
その回動により、可動フード３は、口穴８から出没する。その可動フード３を本体部２の内部に没入させた状態でウェザーカバー１を屋内側から取付口Ｍｐに挿入する。
【００４６】
没入した可動フード３の口穴８からの突出は、本体部２が取付口Ｍｐに挿入されて口穴８が屋外に移動した位置において自重によってなされる。そして、その可動フード３が突出終点においてフード支持面８ａに支持され、前下がりの方向に傾いた開口１３を取付口Ｍｐよりも下側に作り出す。
【００４７】
この可動フード３の外フランジ３ｄは、側壁３ａと前壁３ｂと後壁３ｃとで構成される平面視方形のフード枠の上端外周に設けられており、口穴８からの可動フード突出終点において、その外フランジ３ｄがフード支持面８ａ上に載置されて可動フード３が突出終点に保持される。
【００４８】
例示のウェザーカバー１は、可動フード３の後端（後壁３ｃ）が、壁Ｗの外面から所定量屋外側に突出する位置に口穴８を設けている。これにより、排気に含まれる油分や水分が本体部２の内面に付着堆積して外部に流出しても、流出した油分や水分が壁面を伝って流れ落ちることがなく、流下物による壁面の汚れが起こらない。
【００４９】
防虫網４は、可動フード３の内部に設置されている。この防虫網は、必要に応じ設けられるものであって、必須の要素ではないが、虫の侵入を嫌う食品工場などに設置されるウェザーカバーについては、極めて好ましいものである。
【００５０】
その防虫網４を有する例示の可動フード３は、本体部２の底壁７の内面に着脱可能に取り付けられており、屋内側から取り外して防虫網４やフード枠を含めた全体の洗浄、交換が行なえるようになっている。
【００５１】
可動フード３の着脱は、図示のウェザーカバー１については、蝶番１２のヒンジピン１２ａを抜き差し自在となすことで、蝶番１２の２枚の羽根板を互いに切り離せるようにしており、その切り離しにより、片方の羽根板が固定されている可動フード３を底壁７から外すことができる。
【００５２】
なお、抜き差しのできる蝶番１２のヒンジピン１２ａは、線ばね１２ｂなどを用いて差し込み方向に付勢しておくのがよい。
【００５３】
可動フード３の本体部２に対する着脱は、図１に示すように、本体部２のねじ孔に通したねじ１４ａが取付口Ｍｐの内周面によって抜け止めされる場合には、ナット１４ｂを外して蝶番１２を本体部２から外す方法で行える。
【００５４】
また、本体部２のねじ孔に通したねじ１４ａを、そのねじの外周に抜き取り可能に圧入してナット１４ｂと本体部２との間に介在する軟質樹脂などで形成されたねじの仮止めワッシャを介在し、ナット１４ｂを外したときにねじ１４ａが、そのねじを通したねじ孔から抜け落ちないようにしておくなどの方法でも行え、この構造は、壁Ｗが中空壁であっても利用できる。
【００５５】
ウェザーカバー１を屋内側から取付口Ｍｐに挿入して設置を完了したら、壁Ｗの外面側において取付口Ｍｐとウェザーカバー１との間に生じた隙間の入口を水密に塞ぐコーキング処理を行う。
【００５６】
その作業は、屋外での作業になるが、重量のあるウェザーカバーの取付けや取付枠の取付け作業に比べると簡単で危険性も少ない。
【符号の説明】
【００５７】
１          ウェザーカバー
２          本体部
３          可動フード
３ａ        側壁
３ｂ        前壁
３ｃ        後壁
３ｄ        外フランジ
４          防虫網
５          側壁
６          湾曲壁
６ａ        基端側
６ｂ        先端側
７          底壁
８          口穴
８ａ        フード支持面
９          フランジ
９ａ        補強プレート
１０        取付枠
１１        ねじ
１２        蝶番
１２ａ      ヒンジピン
１３        開口
１４        締結具
１４ａ      ねじ
１４ｂ      ナット
Ｗ          建屋の壁
Ｍｐ        取付口
Ｖ          換気扇
【図１】
2019002622.tif 000003
【図２】
2019002622.tif 000004
【図３】
2019002622.tif 000005
【図４】
2019002622.tif 000006
【図５】
2019002622.tif 000007
【図６】
2019002622.tif 000008
【図７】
2019002622.tif 000009